(57)【特許請求の範囲】
【請求項１】
ハウジングとカバーレンズとを接合することによって外部との隔壁となる筐体を構成する車両用灯具であり、
前記カバーレンズとハウジングとの接合部の当該カバーレンズの下端近傍の車両外部から視認できない位置に車両前方に正対する平面部に形成される、外部との通気を可能とする第一の通気口と、
前記第一の通気口より上方の前記ハウジングに設けられる第二の通気口と、を有し、
前記平面部が、
第一の平面と、前記第一の平面に対して車両後方に後退した第二の平面と、この後退した第二の平面と第一の平面との間を接続する傾斜面からなり、
前記第二の平面に前記第一の通気口が形成されていることを特徴とする車両用灯具。
【発明の詳細な説明】
【技術分野】
【０００１】
本発明は、車両用灯具の例えばカバーレンズとハウジングによって構成される筐体内部において、レンズ内面に生ずる曇りを防止する技術に関する。
【背景技術】
【０００２】
一般に、前照灯などの車両用灯具は、カバーレンズとハウジングをもって外部との隔壁とした筐体を構成している。このような車両用灯具では、その筐体内部に光源や反射面などの光学要素を配置し、外部からの水分、あるいは埃などが侵入し灯具に悪影響を与えないようにしている。
【０００３】
ところで、上述のような車両用灯具において、この筐体内の特にカバーレンズ内面に筐体内外の温度差によって湿気による曇りが生ずることがある。
【０００４】
そして、このようなカバーレンズへの曇り防止の技術として、例えば図６のように車両用灯具のカバーレンズやハウジングの一部に外気を導入可能ないわゆる呼吸孔を設けることによって、曇りを防止する技術が知られている（例えば、特許文献１参照）。
【特許文献１】実開平５−４５８０９号公報
【発明の開示】
【発明が解決しようとする課題】
【０００５】
しかしながら、上記特許文献１の技術においては、呼吸孔を設けることによって筐体内（灯室内）の曇りを防止しようとしているものの、例えば以下の問題があった。
【０００６】
すなわち、上記特許文献１の技術を含め従来の車両用灯具においては、灯具の曇りが最も問題となるのはカバーレンズに生ずる曇りである。この曇りは、特に車両取り付け時におけるレンズ下方（図６の矢印参照）に生ずる場合が多いと考えられる。
【０００７】
また、曇りを解消するにはいかに外部の空気を筐体内部に循環させることができるかによるが、従来の車両用灯具では灯具内の自然対流を利用して曇りの解消を図っているのみであり、より積極的に外気の導入を図ることに鑑みたものはなかった。
【０００８】
本発明は、斯かる実情に鑑みてなされたものである。すなわち、本発明は、筐体内に生ずる曇りをより効果的に解消することに鑑みた車両用灯具に関する技術を提供しようとすることをその課題とする。
【課題を解決するための手段】
【０００９】
上記課題を解決するために、本発明は以下の手段とした。
すなわち、本発明は、ハウジングとカバーレンズとを接合することによって外部との隔壁となる筐体を構成する車両用灯具であり、カバーレンズとハウジングとの接合部の当該カバーレンズの下端近傍の車両外部から視認できない位置に車両前方に正対する平面部に形成される、外部との通気を可能とする第一の通気口と、第一の通気口より上方の前記ハウジングに設けられる第二の通気口と、を有し、平面部が、第一の平面と、第一の平面に対して車両後方に後退した第二の平面と、この後退した第二の平面と第一の平面との間を接続する傾斜面からなり、第二の平面に第一の通気口が形成されていることを特徴とする車両用灯具である。
【００１０】
本発明は、車両用灯具の筐体内外の温度差により生ずる曇りを解消するために、灯具を車両に取り付けた際のカバーレンズ下方寄りかつ車体内側（車両のバンパー付近）の位置に、第一の通気口を設けている。この第一の通気口は、その開口部分が車両前方に向くように形成されている。
【００１１】
このように構成することで、本発明は、筐体内外の温度差によるレンズ内面の曇りを、その発生部分に近いところに外部からの空気の流れを生じさせることができる。また、本発明は、車両走行時にその走行風などを従来の車両用灯具より積極的に筐体内部に取り込むことができる。
【００１２】
また、本発明は、第二の通気口を、第一の通気口に比べて上方且つ後方（車両取り付け時におけるボンネット方向）のハウジングに設けている。
【００１３】
このように構成することによって、本発明は、第一の通気口から筐体内に導入された空気が効率よく排気されることになり、より効果的に曇りを解消することができる。
【００１４】
また、本発明は、第一の通気口の設けられる位置が、車両正面を向いた平面部にあり、この平面部が第一の通気口の周囲において他の部分（第一の平面）に対して車両後方に後退した（一段後方に下がった）平面（第二の平面）を有し、この後退した平面と他の平面との間が傾斜面により接続した面を形成している。
【００１５】
このように構成することによって、本発明は、車両前方からの走行風をより効率よく第一の通気口に導入することが可能となる。
【発明の効果】
【００１６】
本発明の車両用灯具によれば、筐体内に生ずる曇りをより効果的に解消することに鑑みた車両用灯具に関する技術を提供できるという優れた効果を奏し得る。
【発明を実施するための最良の形態】
【００１７】
以下、本発明の車両用灯具の一実施の形態について、添付図面を参照して説明する。
図１は、本発明の一実施の形態にかかる車両用灯具１０を車両に取り付けた状態における横断面図である。また、図２は、本発明の第一の実施の形態にかかる車両用灯具１０を装備する車両１の灯具取り付け位置付近を示す斜視図である。
【００１８】
図２に示すように、車両用灯具１０は、車両１の進行方向前方の左右両端付近に取り付けられる。車両用灯具１０は、車両１の車体に設けられたブラケット（不図示）などの取り付け部材を介して車両に取り付けられる。その車両取り付け状態において、車両用灯具１０は、上方をボンネット２によって下方をバンパー３によって覆われる。
【００１９】
車両用灯具１０は、ポリカボーネートなどの透光性の高い樹脂によって形成されるカバーレンズ１１とポリプロピレンなどの樹脂で形成されるハウジング１２とを、それぞれの接合部１３，１４を嵌め合わせた後ホットメルトや樹脂溶着を用いて接合することによって、外部から遮断された空間（灯室）を有する筐体を構成する。この筐体内には反射面１５や光源（不図示）などが配置され、車両用灯具１０は前照灯として機能する。
【００２０】
ここで、車両用灯具１０は、筐体内外での温度差による曇りを解消するために、いわゆる呼吸孔などと称される第一の通気口２０と第二の通気口３０を有する。
【００２１】
第一の通気口２０は、車両１に取り付けた状態でカバーレンズ１１の下端近傍（車両１のバンパー３付近）のハウジング１２との接合部１３付近にある、図１に示すように車両の進行方向前方に向いた平面１６上に設けられる。
【００２２】
第一の通気口２０は、その開口部２１が車両進行方向に開口している。また、開口部２１から車両前方に向かって筒状部２２が平面１６から立ち上がっている。この筒状部２２には、外部から水分や埃などが流入することを防ぐキャップ２３が被せられる。また、第一の通気口２０は、キャップ２３を筒状部２２へと被着したときに、開口部２１が適度な通気量を有するような間隔を確保するための直径方向に伸びる部位を有する。また、キャップ２３は、キャップ２３が第一の通気口２０から脱落するのを防止する爪部２４を有する。なお、本発明における第一の通気口２０、第二の通気口３０の構成要素や形状は、本実施の形状に限定されず、例えば防水布を設けること、あるいはキャップを有しない構造とすることなども可能である。
【００２３】
第二の通気口３０は、車両取り付け時に第一の通気口２０より上方かつ後方（車両１のボンネット２寄り）のハウジング１２に設けられる。具体的には、第二の通気口３０は、第一の通気口２０から流入した空気の排出を考慮して、車両用灯具１０の後方寄りにあたるハウジング１２に車両後方に開口部が向くように設けられる。なお、筒状部、キャップを有する点は第一の通気口２０と同様であるため説明を省略する。
【００２４】
図３は、車両用灯具１０を取り付けた車両１の走行時における筐体内外の空気の流路に関する模式図である。
【００２５】
以上説明したように構成することで、車両用灯具１０は、図３に示すように車両１走行時にその走行風Ｗがバンパー３下方から流入し、第一の通気口２０から筐体内部に積極的に取り込むことができる。また、車両用灯具１０は、第一の通気口２０をカバーレンズ１１の内面における曇りが発生しやすい部分に近いところに設けたことにより、より効率よく曇りの解消を図ることができる。そして、車両用灯具１０は、第二の通気口３０を設けた位置により、第一の通気口２０から筐体内に導入された空気が効率よく排気されることになる。
【００２６】
従って、車両用灯具１０によれば、従来の灯具と比較してより効果的に灯具内部に生じる曇りを解消することができる。
【００２７】
次に、第一の通気口２０が設けられる接合部１３付近の平面の形状について説明する。
【００２８】
図４は、第一の通気口２０が設けられる平面１６の形状を示す正面方向（車両前方）からの斜視図である。また、図５は、平面１６を図３のＢ−Ｂ断面から見た図である。
【００２９】
平面１６は、第一の通気口２０の周囲以外の部分である第一の平面１６ａと、第一の平面１６ａに対して車両後方に後退した（第一の平面１６ａとほぼ平行な面である）第二の平面１６ｂを有する。そして、この第一の平面１６ａより後退した第二の平面１６ｂと第一の平面１６ａとの間を、傾斜面１６ｃにより接続している。この傾斜面１６ｃの傾斜角θは、６０°程度にすることで筐体内部への走行風の流入効果を高めることができる。
【００３０】
このように構成することによって、車両用灯具１０は、第一の通気口２０の取り付け位置を単なる平面に設けた場合に比べて、車両前方からの走行風をより効率よく筐体内部に導入することが可能となる。
【００３１】
尚、本発明の車両用灯具は、上記した実施の形態に限定されるものではなく、本発明の要旨を逸脱しない範囲内において種々変更を加え得ることは勿論である。
【図面の簡単な説明】
【００３２】
【図１】本発明の一実施の形態にかかる車両用灯具を車両に取り付けた状態における横断面図である。
【図２】本発明の第一の実施の形態にかかる車両用灯具を装備する車両の灯具取り付け位置付近を示す斜視図である。
【図３】車両用灯具を取り付けた車両の走行時における筐体内外の空気の流路に関する模式図である。
【図４】第一の通気口が設けられる平面の形状を示す正面方向（車両前方）からの斜視図である。
【図５】平面を図３のＢ−Ｂ断面から見た図である。
【図６】従来の車両用灯具の問題点を示す図である。
【符号の説明】
【００３３】
１    車両
２    ボンネット
３    バンパー
１０    車両用灯具
１１    カバーレンズ
１２    ハウジング
１３，１４    接合部
１５    反射面
１６    平面
１６ａ    第一の平面
１６ｂ    第二の平面
１６ｃ    傾斜面
２０    通気口
２１    開口部
２２    筒状部
２３    キャップ
２４    爪部
３０    通気口
３１    開口部
３２    筒状部
３３    キャップ
【図１】
0005030285.tif 000002
【図２】
0005030285.tif 000003
【図３】
0005030285.tif 000004
【図４】
0005030285.tif 000005
【図５】
0005030285.tif 000006
【図６】
0005030285.tif 000007